(57)【要約】【課題】マッサージやゲーム機器等の時間貸し機器の簡易課金システムが求められている。【解決手段】個別にＩＤコードが設定されたリストバンド１と、時間貸し機器１１毎に設けられたＩＤコードを読み取るリーダライタ１３を駆動制御し、且つ、そのＩＤコードと時間貸し機器１１の識別情報をコンピュータ機器１６送信する制御部１４と、コンピュータ機器１６でＩＤコードと時間貸し機器識別情報から時間貸し機器１１の使用可否判定と、使用料金の課金を行う時間貸し機器の課金システム。【選択図】　　　図１
2004139270.tif 000002
【特許請求の範囲】
【請求項１】
個別に設定された識別情報が記憶され、その識別情報は外部から読み取り可能で個人毎に携帯される携帯識別手段と、
時間貸し機器毎に設けられ、前記携帯識別手段の識別情報を読み取り、その読み取った識別情報と時間貸し機器の識別情報を送信すると共に、その機器の使用許可が与えられた際に機器を駆動制御するリーダライタ手段と、
このリーダライタ手段から送信された携帯識別手段の識別情報と、時間貸し機器の識別情報から使用可否を判定し、その判定結果を前記リーダライタ手段に送信すると共に、その時間貸しの使用料金の課金処理を行う管理手段と、
を具備したことを特徴とする時間貸し機器の課金システム。
【請求項２】
個別に設定された識別情報が記憶され、その識別情報は外部から読み取り可能で、かつ、外部から機器情報や課金情報が書き込み可能で個人毎に携帯される携帯識別手段と、
時間貸し機器毎に設けられ、前記携帯識別手段の識別情報を読み取り、その読み取った識別情報と時間貸し機器の識別情報を送信すると共に、その機器の使用許可が与えられた際に機器を駆動制御し、かつ、使用料金の課金情報を前記携帯識別手段に書き込み記憶させるリーダライタ手段と、
このリーダライタ手段から送信された携帯識別手段の識別情報と、時間貸し機器の識別情報から使用可否を判定し、その判定結果とその機器の使用料金の課金情報を生成送信する管理手段と、
を具備したことを特徴とする時間貸し機器の課金システム。
【請求項３】
前記携帯識別手段は、リストバンド形式、またはカード形式で形成されたことを特徴とする請求項１または２のいずれかに記載の時間貸し機器の課金システム。
【請求項４】
前記時間貸し機器に設けられたリーダライタ手段には、前記携帯識別情報手段から識別情報を読み取ったことを表示する表示機能と、前記時間貸し機器の駆動開始を指示するスイッチ機能とを有し、その表示機能により前記携帯識別情報手段からの識別情報読み取り終了の表示後、前記スイッチ機能を操作された際に、前記時間貸し機器を駆動させること特徴とする請求項１乃至３のいずれかに記載の時間貸し機器の課金システム。
【発明の詳細な説明】
【０００１】
【発明の属する技術分野】
本発明は、例えば、ヘルスセンターに設けられているマッサージ機器、及びゲームセンターに設けられている各種ゲーム機器等を所定時間使用させる際の課金システムに関するものである。
【０００２】
【従来の技術】
従来、遊園地やテーマパーク等のアミューズメント施設において、各種アトラクション、イベント、食堂、及び売店等を利用するたびに、現金や事前購入したチケット等が必要であった。
【０００３】
このようなアミューズメント施設内での現金やチケットの扱いは、各種トラブルの原因となり、且つ、管理が煩雑となる。また、アトラクションやイベントへの利用のために長時間並ばなくてはならない。
【０００４】
このようなアミューズメント施設の利用において、アトラクションやイベントの入場予約ができると共に、施設内でキャッシュレスで過ごせるようなアミューズメント施設の運営システムが開発提案されている。
【０００５】
このアミューズメント施設の運営システムは、アミューズメント施設へ入退場される顧客に、顧客個人を識別する識別情報を記録したリストバンド形式の電子媒体を携帯させ、その顧客が施設内で利用した全てのアトラクションとイベント会場、及び食堂と売店で携帯しているリストバンド式電子媒体の個人識別情報を非接触で収集し、且つ、利用料金や購入料金を収集すると共に、その顧客毎の識別情報と利用料金や購入料金を集中管理集計して施設退場時に請求支払、または、リストバンド形式の電子媒体に事前入金した金額から減算して徴収精算し、更に、リストバンド形式の電子媒体からアトラクションやイベントの事前予約を可能とし、予約時間が近づくとリストバンド形式の電子媒体からアラームが発せられて予約時間到達を告知するようになっている（例えば、特許文献１参照）。
【０００６】
【特許文献】
特開平１１−１８４９９９号公報。
【０００７】
【発明が解決しようとする課題】
前記特許文献１のアミューズメント施設の運営システムは、顧客が携帯するリストバンド形式の電子媒体は、少なくとも識別情報の記憶と発信機能、時間計測機能、予約情報入力と予約告知機能、及び各種情報の表示機能等を有する必要があり、更に、必要に応じて、プリペイド機能を備えることも必要である。
【０００８】
また、アミューズメント施設内には、アトラクションやイベント会場の出入口、及び食堂売店等には、リストバンド形式電子媒体に記録されている識別情報を非接触で読み込み、その識別情報を読み込んだアトラクションやイベント会場の識別情報や日時データ、及び食堂売店で購入した際の品目情報と金額等を入力するための端末機器と、予約入力用の端末機器と、それら端末機器からの情報の基で、個人の識別情報毎の利用購入データの管理と、利用購入金額の算出課金やプリペイド処理と、予約管理等を速やかに実行するために、大型で高速処理可能なコンピュータ機器が用いられている。
【０００９】
このような施設運営システムは、施設内での個々の現金の授受が無いために、現金のトラブルや煩雑な管理が解消でき、予約機能を活用すると顧客は効率的な行動ができ、また、施設側は顧客の行動や嗜好が把握できる利点を有している。
【００１０】
しかし、このような施設運営システムは、高機能なリストバンド形式電子媒体と、前記リストバンド形式電子媒体と非接触で各種情報の送受信を行う多数の端末機器と、その端末機器を介して、大量の情報データを高速で処理し、且つ、記録するための高速で大記録容量のコンピュータ機器を用いる必要があり、大規模なアミューズメント施設では有効なシステムである。
【００１１】
一方、例えば、ヘルスセンター等の複数の入浴施設と、入浴の合間にマッサージを受けるためのマッサージ機器や、あるいはテレビゲーム等のゲーム機器で遊んだりできるような比較的小規模な施設では、前記施設運営システムのような構成規模が大きく、膨大な費用を要するシステムは採用されることはなく、マッサージ機器やゲーム機器等に備えられているコイン投入孔から現金を投入して利用している。
【００１２】
しかし、顧客はヘルスセンター内の入浴施設を利用する関係から施設内では現金を持ち歩くことなくマッサージ機器やゲーム機器が使用できることを望んでいる。
【００１３】
本発明は、上記事情に鑑みてなされたもので、マッサージ機器やゲーム機器等の所定時間駆動利用する時間貸し機器をキャッシュレスで利用し、この利用した機器の利用料金を課金する時間貸し機器の課金システムを提供することを目的としている。
【００１４】
【課題を解決するための手段】
本発明の時間貸し機器の課金システムは、個別に設定された識別情報が記憶され、その識別情報は外部から読み取り可能で個人毎に携帯される携帯識別手段と、時間貸し機器毎に設けられ、前記携帯識別手段の識別情報を読み取り、その読み取った識別情報と時間貸し機器の識別情報を送信すると共に、その機器の使用許可が与えられた際に機器を駆動制御するリーダライタ手段と、このリーダライタ手段から送信された携帯識別手段の識別情報と、時間貸し機器の識別情報から使用可否を判定し、その判定結果を前記リーダライタ手段に送信すると共に、その時間貸しの使用料金の課金処理を行う管理手段と、を具備したことを特徴とする。
【００１５】
本発明の時間貸し機器の課金システムは、個別に設定された識別情報が記憶され、その識別情報は外部から読み取り可能で、かつ、外部から機器情報や課金情報が書き込み可能で個人毎に携帯される携帯識別手段と、時間貸し機器毎に設けられ、前記携帯識別手段の識別情報を読み取り、その読み取った識別情報と時間貸し機器の識別情報を送信すると共に、その機器の使用許可が与えられた際に機器を駆動制御し、かつ、使用料金の課金情報を前記携帯識別手段に書き込み記憶させるリーダライタ手段と、このリーダライタ手段から送信された携帯識別手段の識別情報と、時間貸し機器の識別情報から使用可否を判定し、その判定結果とその機器の使用料金の課金情報を生成送信する管理手段と、
を具備したことを特徴とする。
【００１６】
本発明の時間貸し機器の課金システムの前記携帯識別手段は、リストバンド形式、またはカード形式で形成されたことを特徴とする請求項１または２のいずれかに記載の時間貸し機器の課金システム。
【００１７】
本発明の時間貸し機器の課金システムの前記時間貸し機器に設けられたリーダライタ手段には、前記携帯識別情報手段から識別情報を読み取ったことを表示する表示機能と、前記時間貸し機器の駆動開始を指示するスイッチ機能とを有し、その表示機能により前記携帯識別情報手段からの識別情報読み取り終了の表示後、前記スイッチ機能を操作された際に、前記時間貸し機器を駆動させること特徴とする。
【００１８】
本発明の時間貸し機器の課金システムは、顧客に携帯保持させる携帯識別情報手段は、識別情報のみが記憶され、リーダライタ手段を有する時間貸し機器でその携帯識別情報手段に記憶されている識別情報を読み取り、その時間貸し機器の使用情報を管理手段で管理することで、顧客は現金を持ち歩く必要もなく、また、施設側は時間貸し機器の管理効率が向上した。
【００１９】
【発明の実施の形態】
以下、図面を参照して本発明の実施の形態について詳細に説明する。最初に図１を用いて、本発明に係る時間貸し機器の課金システムの一実施形態の全体構成を説明する。
【００２０】
例えば、従来コインを投入すると所定時間駆動するマッサージ機器やゲーム機器等の時間貸し機器１１ａ〜１１ｎそれぞれに、コインの投入を検知して機器を駆動させる駆動部に代えて、リーダライタボックス１２ａ〜１２ｎが設けられている。
【００２１】
このリーダライタボックス１２ａ〜１２ｎは、後述するリストバンド１の識別情報を読み取るリーダライタ１３ａ〜１３ｎと、そのリーダライタ１３ａ〜１３ｎを駆動制御すると共に、その読み取った識別情報を後述するコンピュータ機器１６へ伝送すると共に、コンピュータ機器１６からの制御信号の基で後述する機器駆動部１５ａ〜１５ｎを駆動制御する制御部１４ａ〜１４ｎからなっている。
【００２２】
この機器駆動部１５は、例えば、マッサージ機器の場合は、マッサージ用のハンマーやローラーを回転または振動させるモータやバイブレータと、そのハンマーやローラ位置を移動させるための移動機構、及びれらの駆動制御回路等からなっている。
【００２３】
コンピュータ機器１６は、パーソナルコンピュータが用いられ、前記時間貸し機器１１ａ〜１１ｎの制御部１４ａ〜１４ｎと各種情報データと制御信号を送受信すると共に、全ての時間貸し機器１１ａ〜１１ｎの駆動判定と、使用料金算出の課金を行うものである。
【００２４】
リストバンド１は、図２（ａ）に示すように、顧客の手首に巻き付けられ、そのリストバンド１の個々の識別情報であるＩＤコード（以下、単にＩＤコードと称する）を記憶する半導体媒体であるＩＣチップ２が埋設されている。
【００２５】
または、リストバンド１に代えて、図２（ｂ）に示すように、略名刺型のカード３に前記リストバンド１と同様なＩＣチップ４が埋設されている。前記リストバンド１及びカード３は、防水構造で形成されることが望ましい。
【００２６】
なお、リストバンド１とカード３は、顧客の携帯状態は異なるが、その機能と作用は同一のため、以降の説明は、特に断りのない限り、リストバンド１を用いて説明する。
【００２７】
次に、前記時間貸し機器１１ａ〜１１ｎにそれぞれ設けられているリーダライタボックス１２ａ〜１２ｎの構成について図３を用いて説明する。
【００２８】
このリーダライタボックス１２は、前記リーダライタ１３と制御部１４以外に、ランプ１７、スタートボタン１８、タイマー１９、及び電磁開閉器２０を有している。
【００２９】
前記制御部１６は、前記コンピュータ機器１６との間で各種制御信号と情報データの送受信を行い、それら制御信号の基で前記リーダライタ１３の駆動制御、ランプ１７の点消灯制御、スタートボタン１８の操作検出、タイマー１９の始動及びタイムアップ検出、及び電磁開閉器２０の開閉駆動制御を行う。
【００３０】
前記リーダライタ１３は、前記制御部１３の制御の基で、リストバンド１のＩＤコードを読み取り、コンピュータ機器１６へと送信する。
【００３１】
前記ランプ１７は、前記リーダライタ１３でリストバンド１のＩＤコードを読み取り、コンピュータ機器１６でその読み取りＩＤコードが確認されると、ＩＤコード読み取り完了を顧客に告知するためのランプと点灯回路からなっている。
【００３２】
前記スタートボタン１８は、前記リーダライタ１３でリストバンド１のＩＤコードが読み込まれて、ランプ１７が点灯してＩＤコード読み込み終了表示された後、顧客が時間貸し機器１１を駆動開始させるために押圧操作用のボタンである。
【００３３】
前記電磁開閉器１９は、前記時間貸し機器１１の機器駆動部１５を駆動させる商用電源（例えば、ＡＣ１００Ｖ）の供給をオン／オフ制御するスイッチで、前記スタートボタン１８がオン操作されると、制御部１４がタイマー１９のタイマーカウント開始と共に、電磁開閉器２０をオンさせて、商用電源を機器駆動部１５に供給して、時間貸し機器１１を駆動させる。タイマー１９のタイマカウントが所定のカウント値に達すると、制御部１４は、電磁開閉器２０をオフ操作させて、機器駆動部１５への商用電源供給を停止させるようになっている。
【００３４】
前記時間貸し機器１１ａ〜１１ｎのリーダライタボックス１２ａ〜１２ｎは、例えば、マッサージ機器の肘置き付近に、従来のコイン投入用のボックスに代えて設置されるもので、図４に示すように、表面には前記リーダライタ１３の読み取り面と、前記リストバンド１のＩＤコード読み込み完了時に点灯したランプ１７で表示される「読み込み完了」表記と、前記時間貸し機器１１の駆動スタートさせるスタートボタン１８が設けられている。
【００３５】
つまり、リストバンド１のＩＤコードがリーダライタ１３で読み込まれ、その読み込み完了が確認されてランプ１７が点灯した後、スタートボタン１８が操作入力されると、時間貸し機器１１が所定時間駆動するようになっている。
【００３６】
このような構成の時間貸し機器の駆動制御と課金に関するコンピュータ機器１６の動作処理について図５を用いて説明する。
【００３７】
顧客が時間貸し機器１１である、例えば、マッサージ機器に着席し、そのマッサージ機器の肘掛け付近に設置されているリーダライタボックス１３に、顧客が保有しているリストバンド１を近づけると、制御部１４はリーダライタ１３を駆動制御させて、ステップＳ１で顧客のリストバンド１に記録されているＩＤコードを読み込ませ、ステップＳ２で前記リーダライタ１３で読み取ったＩＤコードを制御部１４が正常に受信すると、制御部１４はステップＳ３で読み込み完了ランプ１７を点灯制御して、ＩＤ読み込み完了表示させる。
【００３８】
このステップＳ３のＩＤコード読み込み完了のランプ表示により、顧客は自ら保有するリストバンド１のＩＤコードが読み込まれたことが確認できる。
【００３９】
このステップＳ３の読み込み完了表示を確認後、顧客は、マッサージ機器を駆動させるために前記リーダライタボックス１２のスタートボタン１８を押圧操作すると、このスタートボタン１８のオン情報により、ステップＳ２で制御部１４が正常受信したＩＤコードと、そのＩＤコードを読み取った時間貸し機器１１の使用料金データをステップＳ５でコンピュータ機器１６へ送信する。
【００４０】
ステップＳ５で制御部１４から送信されたＩＤコードは、コンピュータ機器１６でチェックイン登録した顧客が携帯するリストバンド１のＩＤコードであるかステップＳ６でコンピュータ機器１６に問い合わせ判定させる。
【００４１】
このチェックイン登録とは、顧客が施設に入場時、例えば、施設利用の受付時に、顧客個人に渡されるリストバンド１のＩＤコードをコンピュータ機器１６の記録用メモリに入場者登録するものである。
【００４２】
このステップＳ６で、コンピュータ機器１６からチェックイン登録した顧客のＩＤコードでは無いと判定されると、ステップＳ７で制御部１４は、コンピュータ機器１６からのチェックイン登録されてなく、時間貸し機器１１を使用できないＩＤコードである信号を受信して、たとえスタートボタン１８がオンされても時間貸し機器１１が駆動停止状態を維持するように制御する。
【００４３】
この場合の駆動停止は、例えば、前記リーダライタボックス１２の読み込み完了ランプ１７を点滅させて機器の駆動ができない旨表示させて顧客に告知させる。
【００４４】
前記ステップＳ６でチェックイン登録されているＩＤコードであると判定されると、ステップＳ８で制御部１４は、そのＩＤコードが時間貸し機器１１を使用したとするデータをコンピュータ機器１６の記録メモリに登録記録させる。このデータの登録記録は、例えば、日時と、使用する時間貸し機器１１の識別番号、及び利用料金等である。
【００４５】
次に、前記ステップＳ８のコンピュータ機器１６の記録メモリへのＩＤコードと使用する時間貸し機器１１等のデータ登録記録が終了すると、コンピュータ機器１６は制御部１４に登録完了データを送信する。このコンピュータ機器１６からのＩＤコードと時間貸し機器１１のデータ登録記録の終了をステップＳ６で制御部１４が受信すると、制御部１４は、ステップＳ１０で、前記ステップＳ３で読み込み完了表示するために点灯させたランプ１７を消灯させ、ステップＳ１１で、電磁開閉器２０を閉にして商用電源を時間貸し機器の１１の機器駆動部１５に供給させると共に、タイマー１９のタイマーカウントを開始させる。
【００４６】
このステップＳ１０の電磁開閉器のオンと、ステップＳ１１のタイマーカウント開始により、ステップＳ１２で機器駆動部１５が起動する。
【００４７】
次に、ステップＳ１３で制御部１４は、タイマー１９のタイマーカウントが所定のカウント値に到達しタイムアップしたことを検出すると、ステップＳ１４で制御部１４は、電磁開閉器２０を開にして、商用電源の供給を停止させ、ステップＳ１５で時間貸し機器１１の駆動を停止させる。
【００４８】
このように、顧客は、時間貸し機器１１のリーダライタボックス１１のリーダライタ１３で携帯しているリストバンド１を近づけてＩＤコードを読み込ませ、リーダライタボックス１１の読み込み完了ランプ１７が点灯後、スタートボタン１８を押圧操作すると時間貸し機器１１を所定時間駆動させることができ、この時間貸し機器１１のリーダライタボックスに接続されたコンピュータ機器１６には、時間貸し機器１１を利用している顧客のＩＤコードと、その時間貸し機器１１と利用料金が収集集計することができる。
【００４９】
このコンピュータ機器１６に収集集計したＩＤコード毎の時間貸し機器１１の使用の有無と、使用した場合の料金等のデータは、顧客がチェックアウト時にリストバンド１のＩＤコードと、コンピュータ機器１６に記録されている時間貸し機器１１の利用データと比較して、時間貸し機器１１を利用したＩＤコードの利用料金データを出力すると共に、チェックイン登録データから消去させる。
【００５０】
以上説明したように、本発明の時間貸し機器の課金システムは、顧客に携帯させるリストバンド１またはカード３には、リストバンド１を識別するＩＤコードを読み取り可能に記録した半導体素子からなるＩＣチップ２，４のみを設けた簡素で廉価に形成できる。
【００５１】
この時間貸し機器１１に設置されるリーダライタボックス１２には、前記リストバンド１またはカード３のＩＤコードを読み込むリーダライタ１３、ＩＤコード読み込み完了表示用のランプ１７、時間貸し機器の起動スタートボタン１８、時間貸し機器の駆動時間計測用のタイマー１９、時間貸し機器の駆動電源供給用の電磁開閉器２０、及びリーダライタ１３、ランプ１７、スタートボタン１８、タイマー１９、並びに電磁開閉器２０の駆動を制御すると共に、コンピュータ機器１６との間で各種情報とデータの送受信する制御部１４からなり、比較的簡素な構成で一般的構成部品で形成できる。
【００５２】
また、複数の時間貸し機器１１のリーダライタボックス１２の制御部１４に接続されたコンピュータ機器１６には、比較的データ記録メモリ容量が小さく、安価なパーソナルコンピュータを用いることができる。
【００５３】
更に、顧客が携帯するリストバンド１には、何ら表示機能を有していないために、ＩＤコードをリーダライタボックス１２で読み込ませた際に、間違いなく読み込まれたか疑問に感じるが、リーダライタボックス１２のランプ１７の点灯によりＩＤコード読み込みの確認ができ安心感が生じる。
【００５４】
更にまた、もし仮に、時間貸し機器１１のリーダライタボックス１２で誤ってＩＤコードを読み込ませた場合に、スタートボタン１８を操作しない限り時間貸し機器１１は駆動せず、不用意な時間貸し機器の使用が防止できる。
【００５５】
上述の本発明の説明において、リストバンド１のＩＤコード毎の時間貸し機器１１の使用記録をコンピュータ機器１６の記録メモリに記録するとしているが、顧客が携帯するリストバンド１のＩＣチップ２にＩＤコード以外に、前記時間貸し機器の使用日時、時間貸し機器の識別情報、及び使用料金等の情報を記録できるメモリを有すると共に、前記コンピュータ機器１６から制御部１４とリーダライタ１３を介して書込記録させるようにして、リストバンド１に顧客が利用した時間貸し機器１１の料金を含めて課金情報を記憶させても良い。
【００５６】
【発明の効果】
本発明の時間貸し機器の課金システムは、識別情報を記録した簡易な機能のリストバンドと、そのリストバンドの識別情報により、時間貸し機器の利用許可と利用実績を一元管理でき、簡素で安価な課金システムが構築できる効果を有している。
【図面の簡単な説明】
【図１】本発明に係る時間貸し機器の課金システムの一実施形態の全体構成を示すブロック図。
【図２】本発明に係る時間貸し機器の課金システムに用いるリストバンドとカードを説明する説明図。
【図３】本発明に係る時間貸し機器の課金システムのリーダライタボックスの構成を示すブロック図。
【図４】本発明に係る時間貸し機器の課金システムのリーダライタボックスの表面を説明する説明図。
【図５】本発明に係る時間貸し機器の課金システムの動作を説明するフローチャート。
【符号の説明】
１…カード、２、４…ＩＣチップ、３…カード、１１…時間貸し機器、１２…リーダライタボックス、１３…リーダライタ、１４…制御部、１５…機器駆動部、１６…コンピュータ機器、１７…読み込み完了ランプ、１８…スタートボタン、１９…タイマー、２０…電磁開閉器。
【図１】
2004139270.tif 000003
【図２】
2004139270.tif 000004
【図３】
2004139270.tif 000005
【図４】
2004139270.tif 000006
【図５】
2004139270.tif 000007